(57)【要約】      （修正有）【課題】  見栄えがよく、楽しく遊ぶことができ、使い勝手が良いペットボトル収納体を提供すること。【解決手段】  少なくとも頭部１０、胴部１１及び両手部１２，１２を有する指人形形態であって下部が開閉可能である外袋１と、保冷・保温機能を有し且つ前記外袋１内の空間に収納されるボトル収納袋２とを具備しており、ボトル収納袋２はペットボトルＢのキャップ部Ｃを含む上部を突出させてあり、前記外袋１における頭部１０と胴部１１のつなぎ目部分又はその付近が開閉自在であると共に開状態にあるときにはその開口部からペットボトルＢのキャップ部Ｃが突出するようにしてある。【選択図】図４
2005102709.tif 000002
【特許請求の範囲】
【請求項１】
保冷又は／及び保温機能を有し且つペットボトルが取り出し可能に収納されるボトル収納袋と、少なくとも頭部、胴部及び両手部を有する指人形形態であってその内部空間に対してペットボトルを収容したボトル収納袋が挿入及び取り出しできる開閉可能な開口部を有する外袋とを具備することを特徴とするペットボトル収納体。
【請求項２】
保冷又は／及び保温機能を有し且つペットボトルが上開口部から取り出し可能に収納されるボトル収納袋と、少なくとも頭部、胴部及び両手部を有する指人形形態であってその内部空間に対してペットボトルを収容したボトル収納袋が挿入及び取り出しできる開閉可能な開口部を有する外袋とを具備しており、前記外袋における頭部と胴部のつなぎ目部分又はその付近が開閉自在であると共に開状態にあるときにはその開口部からボトル収納袋の上開口部が突出するようにしてあることを特徴とするペットボトル収納体。
【請求項３】
保冷又は／及び保温機能を有し且つペットボトルのキャップ部を含む上部が外部に突出する形態であるボトル収納袋と、少なくとも頭部、胴部及び両手部を有する指人形形態であってその内部空間に対してペットボトルを収容したボトル収納袋が挿入及び取り出しができる開閉可能な開口部を有する外袋とを具備しており、前記外袋における頭部と胴部のつなぎ目部分又はその付近が開閉自在であると共に開状態にあるときにはその開口部からペットボトルのキャップ部が突出するようにしてあることを特徴とするペットボトル収納体。
【請求項４】
外袋における頭部と胴部のつなぎ目部分の開閉は、ファスナーによりなされるようにしてあることを特徴とする請求項２又は３記載のペットボトル収納体。
【請求項５】
外袋は開口部が開状態にあるときには、その開口部から胴部に手が挿入できるようになっていることを特徴とする請求項１乃至４のいずれかに記載のペットボトル収納体。
【請求項６】
ボトル収納袋は、保冷又は／及び保温機能を有する素材より構成されていることを特徴とする請求項１乃至５のいずれかに記載のペットボトル収納体。
【請求項７】
ボトル収納袋にはポケットを設けてあり、前記ポケットは保温剤又は保冷剤が収納されるものであることを特徴とする請求項１乃至６のいずれかに記載のペットボトル収納体。
【請求項８】
頭部には口が形成されており、前記口は指の操作により開閉できるようになっていることを特徴とする請求項１乃至７のいずれかに記載のペットボトル収納体。
【請求項９】
指人形形態である外袋には両足を設けてあることを特徴とする請求項１乃至８のいずれかに記載のペットボトル収納体。
【発明の詳細な説明】
【技術分野】
【０００１】
この発明は、ペットボトル内に入ったお茶、水、ジュース等の飲料物を保冷又は／及び保温するためのペットボトル収納体に関するものである。
【背景技術】
【０００２】
近年、ペットボトルに入った飲料物は自動販売機やコンビニエンスストア等いたる所で手軽に購入することが可能であり、キャップ式のペットボトルは缶に入った飲料と異なり、一度に全部飲まなくとも比較的容易に保存しておくことができるので、その需要は増大している。
【０００３】
しかし、ペットボトルをそのまま持ち歩いていると購入時には冷たかったジュースや水が生ぬるくなってしまったり、温かかったお茶が冷めてしまったりして、美味しさが損なわれるといった問題が生じていた。
【０００４】
上記問題を解決する手段として、従来から、ペットボトルの飲料物を購入時の状態に保つ保冷又は保温効果を有する様々な収納体が開発されている。そして、その中には、購買意欲をそそるような「ぬいぐるみ」の如く形成されたペットボトル収納体も存在している（例えば、特許文献１。）。
【０００５】
しかしながら、上記「ぬいぐるみ」形態のペットボトル収納体では、キャップが「ぬいぐるみ」の頭部から突出する構造を採っているため不使用時において「ぬいぐるみ」として使用するにはあまり見栄えが良くないし、ペットボトルを取り出した状態では頭部に孔が開いた状態となるので同様に見栄えが良くない。つまり、「ぬいぐるみ」としての可愛さが半減している。
【０００６】
また、この形態のペットボトル収納体では、ある程度の可愛らしさはあるももの、積極的に楽しく遊ぶことができるようなものではなかった。
【０００７】
さらに、ペットボトル内に入った飲料物を飲む際には、実質的にその都度「ぬいぐるみ」を取り外す必要が生じ、使い勝手が良くなかった。
【特許文献１】特開２００２−３０６２２６号公報
【発明の開示】
【発明が解決しようとする課題】
【０００８】
そこで、この発明では、この発明では、見栄えがよく、楽しく遊ぶことができるペットボトル収納体を提供することを課題とする。
【０００９】
また、この発明では、見栄えがよく、楽しく遊ぶことができ、使い勝手が良いペットボトル収納体を提供することを課題とする。
【課題を解決するための手段】
【００１０】
請求項１記載の発明のペットボトル収納体は、保冷又は／及び保温機能を有し且つペットボトルが取り出し可能に収納されるボトル収納袋と、少なくとも頭部、胴部及び両手部を有する指人形形態であってその内部空間に対してペットボトルを収容したボトル収納袋が挿入及び取り出しできる開閉可能な開口部を有する外袋とを具備するものである。
【００１１】
請求項２記載の発明のペットボトル収納体は、保冷又は／及び保温機能を有し且つペットボトルが上開口部から取り出し可能に収納されるボトル収納袋と、少なくとも頭部、胴部及び両手部を有する指人形形態であってその内部空間に対してペットボトルを収容したボトル収納袋が挿入及び取り出しできる開閉可能な開口部を有する外袋とを具備しており、前記外袋における頭部と胴部のつなぎ目部分又はその付近が開閉自在であると共に開状態にあるときにはその開口部からボトル収納袋の上開口部が突出するようにしてある。
【００１２】
請求項３記載の発明のペットボトル収納体は、保冷又は／及び保温機能を有し且つペットボトルのキャップ部を含む上部が外部に突出する形態であるボトル収納袋と、少なくとも頭部、胴部及び両手部を有する指人形形態であってその内部空間に対してペットボトルを収容したボトル収納袋が挿入及び取り出しができる開閉可能な開口部を有する外袋とを具備しており、前記外袋における頭部と胴部のつなぎ目部分又はその付近が開閉自在であると共に開状態にあるときにはその開口部からペットボトルのキャップ部が突出するようにしてある。
【００１３】
請求項４記載の発明のペットボトル収納体は、上記請求項２又は３記載の発明に関し、外袋における頭部と胴部のつなぎ目部分の開閉は、ファスナーによりなされるようにしてある。
【００１４】
請求項５記載の発明のペットボトル収納体は、上記請求項１乃至４のいずれかに記載の発明に関し、外袋は開口部が開状態にあるときには、その開口部から胴部に手が挿入できるようになっている。
【００１５】
請求項６記載の発明のペットボトル収納体は、上記請求項１乃至５のいずれかに記載の発明に関し、ボトル収納袋は、保冷又は／及び保温機能を有する素材より構成されている。
【００１６】
請求項７記載の発明のペットボトル収納体は、上記請求項１乃至６のいずれかに記載の発明に関し、ボトル収納袋にはポケットを設けてあり、前記ポケットは保温剤又は保冷剤が収納されるものである。
【００１７】
請求項８記載の発明のペットボトル収納体は、上記請求項１乃至７のいずれかに記載の発明に関し、頭部には口が形成されており、前記口は指の操作により開閉できるようになっていることを特徴とする請求項１乃至７のいずれかに記載のペットボトル収納体。
【００１８】
請求項９記載の発明のペットボトル収納体は、上記請求項１乃至８のいずれかに記載の発明に関し、指人形形態である外袋には両足を設けてある。
【発明の効果】
【００１９】
請求項１記載の発明のペットボトル収納体では、見栄えがよく、楽しく遊ぶことができ、使い勝手が良いペットボトル収納体を提供できる。
【００２０】
請求項１〜９記載の発明のこの発明のペットボトル収納体では、見栄えがよく、楽しく遊ぶことができるペットボトル収納体を提供できる。
【発明を実施するための最良の形態】
【００２１】
以下にこの発明のペットボトル収納体を実施するための最良の形態としての実施例について詳細に説明する。
【００２２】
図１はこの発明の実施形態のペットボトル収納体ＰＳの外観斜視図、図２は前記ペットボトル収納体ＰＳの断面図、図３は前記ペットボトル収納体ＰＳの分解斜視図、図４は前記ペットボトル収納体ＰＳからペットボトルＢのキャップ部Ｃを突出させた状態を示す外観斜視図、図５は前記ペットボトル収納体ＰＳの外袋１を指人形として遊んでいる状態を示す斜視図、図６は二つのペットボトル収納体ＰＳの外袋１を指人形として遊んでいる状態を示す斜視図を示している。
（このペットボトル収納体ＰＳの基本的な構成について）
このペットボトル収納体ＰＳは、図１〜図３に示すように、口１０ａの開閉が可能な頭部１０、胴部１１及び両手部１２，１２を有する指人形形態である外袋１と、保冷・保温機能を有し且つ前記外袋１内の空間に収納されるボトル収納袋２とから構成され、前記ボトル収納袋２にペットボトルＢがキャップ部Ｃ及びネック部Ｎが突出する態様で収納されるようにしてある。
（外袋１の構成について）
外袋１は、この実施形態では図１に示すように、蛙の指人形としたものであり、上記頭部１０と胴部１１のつなぎ目部分がファスナー１３により開閉自在としてあると共に開状態にあるときにはその開口部から図４に示すように、ペットボトルＢのキャップ部Ｃ及びネック部Ｎが突出するようにしてある。したがって、胴部１１から突出したペットボトルＢのキャップ部Ｃの開状態にすると、そのままの状態でペットボトルＢに充填された飲料物を飲むことができる。つまり、ファスナー１３を開くだけで、ペットボトルＢに充填された飲料物を飲み得る状態にでき，非常に使い勝手がよい。
【００２３】
また、この外袋１は図１や図３に示すように、その下部がファスナー１４により開閉可能になっており、開状態にすることによりペットボトルＢをボトル収納袋２ごと底開口部から取り出せるようになっている。そして、ファスナー１４を開いてペットボトルＢ及びボトル収納袋２を取り出した状態において、図５に示すように、開状態となった底開口部から胴部１１内に手Ｈを入れることにより、指人形として楽しく遊ぶ（両手部１２，１２を動かし、口１０ａを開閉させて遊ぶ）ことができる。図６は頭部１０を馬とした指人形形態の外袋１と、頭部１０を蛙とした指人形形態の外袋１とにより遊んでいる状態を示している。
【００２４】
なお、この外袋１は、全体が肌触りがよい所謂フエルト生地を縫着するようにして形成されており、頭部１０の上部には当該頭部１０の形状を保つために図２に示すように、綿１９等を詰めてある。
【００２５】
この実施例の外袋１では両足が存在してないが、両足を設けるようにしてもよい。
（ボトル収納袋２の構成について）
ボトル収納袋２は、図７に示すように、ペットボトルＢの胴部及び底部に相当する部分は、外側の樹脂製の生地２０と、水分を通さない内側の薄膜状の不透過部材２１との間に保冷剤２２又は保温剤を設けて構成され（保冷及び保温機能を有する素材で構成してもよい）、ペットボトルＢの肩部に相当する部分は、樹脂製の生地２３により構成され、ペットボトルＢの胴部、底部及び肩部に相当する部分相互が縫着されるようにして袋状に形成されている。
【００２６】
なお、符号２４で示されるものは樹脂糸を編んで形成された紐であり、この紐２４を絞め込む（この状態を図３に示した紐止め２５で維持する）ことによりボトル収納袋２の肩部分はペットボトルＢの肩部の形状に倣うことになる。
【００２７】
また、ボトル収納袋２としては、図８に示すように、胴部において外ポケット２６を設けてその内部に保冷剤２２又は保温剤を入れるようにしてもよく、図９に示すように胴部において内ポケット２７を設けてその内部に袋に入った保冷剤２２又は保温剤を入れるようにしてもよい。
【００２８】
さらに、ボトル収納袋２としては、図１０に示すように、その胴部の下部にファスナー２８を設ける構造を採ることができる。
【００２９】
要するに、ボトル収納袋２は、水分を通さず且つ保冷・保温機能を有するものであれば、あらゆる構成のものを採用できる。
（このペットボトル収納体ＰＳの優れた点について）
このペットボトル収納体ＰＳは以下に示す機能を有している。
Ａ．このペットボトル収納体ＰＳはペットボトルＢの飲料物を購入時の温度状態に保つことができる。
Ｂ．ペットボトルＢの一部が表面上に現れていないので、一見しただけでは普通の「ぬいぐるみ」であり、従来のものと比較して見栄えが良い。したがって、「ぬいぐるみ」として室内に飾っておくことも可能である。
Ｃ．ファスナー１４を開いてペットボトルＢ及びボトル収納袋２を取り出した状態において、図５に示すように、開状態となった底開口部から胴部１１内に手Ｈを入れることにより、指人形として楽しく遊ぶ（両手部１２，１２を動かし、口１０ａを開閉させて遊ぶ）ことができる。
Ｄ．ファスナー１３を開くだけで、ペットボトルＢに充填された飲料物を飲み得る状態にでき、非常に使い勝手がよい。
（その他）
上記実施例にかえて外袋１における、ボトル収納袋２を挿入及び取り出す開口部は、胴部１１の周面部に設けるようにしてもよい。
【００３０】
他方、上記実施例にかえてペットボトル収納体ＰＳを、ペットボトルＢが収納され且つ保冷・保温機能を有するボトル収納袋２と、少なくとも頭部１０、胴部１１及び両手部１２，１２を有する指人形形態であってその内部空間に対してペットボトルＢを収容したボトル収納袋が挿入及び取り出しできる開閉可能な開口部を有する外袋１とを具備するものとすることができる。この場合においては上記した（このペットボトル収納体ＰＳの優れた点について）の欄に記載したＡ，Ｂ，Ｃの効果を奏する。
【００３１】
また、上記実施例にかえてペットボトル収納体ＰＳを、保冷又は／及び保温機能を有し且つペットボトルＢが上開口部から取り出し可能に収納されるボトル収納袋２と、少なくとも頭部１０、胴部１１及び両手部１２，１２を有する指人形形態であってその内部空間に対してペットボトルＢを収容したボトル収納袋２が挿入及び取り出しできる開閉可能な開口部を有する外袋１とを具備しており、前記外袋１における頭部１０と胴部１１のつなぎ目部分又はその付近が開閉自在であると共に開状態にあるときにはその開口部からボトル収納袋２の上開口部が突出するようにしたものとしてもよい。この場合においては上記した（このペットボトル収納体ＰＳの優れた点について）の欄に記載したＡ，Ｂ，Ｃの効果を奏し、さらに、ボトル収納袋２の上開口部からペットボトルＢのキャップ部Ｃを出して当該キャップ部Ｃを開くだけで飲料物を飲み得る状態にできる。
【図面の簡単な説明】
【００３２】
【図１】この発明の実施形態のペットボトル収納体の外観斜視図。
【図２】前記ペットボトル収納体の断面図。
【図３】前記ペットボトル収納体の分解斜視図。
【図４】前記ペットボトル収納体からペットボトルのキャップ部を突出させた状態を示す外観斜視図。
【図５】前記ペットボトル収納体の外袋を指人形として遊んでいる状態を示す斜視図。
【図６】二つのペットボトル収納体の外袋を指人形として遊んでいる状態を示す斜視図。
【図７】前記ペットボトル収納体のボトル収納袋の断面図。
【図８】他の形態のボトル収納袋の断面図。
【図９】他の形態のボトル収納袋の断面図。
【図１０】他の形態のボトル収納袋の断面図。
【符号の説明】
【００３３】
ＰＳ    ペットボトル収容体
Ｂ      ペットボトル
Ｃ      キャップ部
Ｎ      ネック部
Ｈ      手
１      外袋
２      ボトル収納袋
１０    頭部
１１    胴部
１２    両手部
１３    ファスナー
１４    ファスナー
１９    紐
２０    生地
２１    不透過部材
２２    保冷剤
２３    生地
２４    紐
２５    紐止め
２６    外ポケット
２８    内ポケット
【図１】
2005102709.tif 000003
【図２】
2005102709.tif 000004
【図３】
2005102709.tif 000005
【図４】
2005102709.tif 000006
【図５】
2005102709.tif 000007
【図６】
2005102709.tif 000008
【図７】
2005102709.tif 000009
【図８】
2005102709.tif 000010
【図９】
2005102709.tif 000011
【図１０】
2005102709.tif 000012